(57)【要約】【課題】カバー部材のカバー部分が方形でない場合、カバー部材を開け閉めする力がカバー部分の全周に伝わりにくく、カバー部材を開閉しにくくなってしまう。【解決手段】ヒンジ部により開閉可能に機器へ取り付けられるカバー部材であって、カバー部材が閉じている場合に、機器の被カバー領域を覆うカバー部と、カバー部の側部に位置し、カバー部材が閉じている場合に、機器が有する係合面と接触して、カバー部材が開く動きを規制する第１リブ部とを備え、カバー部は、第１部分と、第１部分よりヒンジ部側に位置し、ヒンジ部による開閉回転軸に沿う方向の長さが第１部分より短い第２部分とを有し、第１部分は、第２部分の側の第１の側部と、ヒンジ部から離れる方向に第１の側部から延びる第２の側部とを有し、第１リブ部は、第１の側部から第２の側部にわたる少なくとも一部に、係合面との接触深さが他の部位より浅い部位を有する。【選択図】図２
2014056101.tif 000002
【特許請求の範囲】
【請求項１】
ヒンジ部により開閉可能に機器へ取り付けられるカバー部材であって、
前記カバー部材が閉じている場合に、前記機器の被カバー領域を覆うカバー部と、
前記カバー部の側部に位置し、前記カバー部材が閉じている場合に、前記機器が有する係合面と接触して、前記カバー部材が開く動きを規制する第１リブ部と
を備え、
前記カバー部は、第１部分と、前記第１部分より前記ヒンジ部側に位置し、前記ヒンジ部による開閉回転軸に沿う方向の長さが前記第１部分より短い第２部分とを有し、
前記第１部分は、前記第２部分の側の第１の側部と、前記ヒンジ部から離れる方向に前記第１の側部から延びる第２の側部とを有し、
前記第１リブ部は、前記第１の側部から前記第２の側部にわたる少なくとも一部に、前記係合面との接触深さが他の部位より浅い部位を有する
カバー部材。
【請求項２】
前記第１リブ部は、前記第１部分および前記第２部分の縁部に沿って設けられ、前記第１の側部から前記第２の側部にわたる少なくとも一部に、他の部位より低い低背部を有する
請求項１に記載のカバー部材。
【請求項３】
前記第１リブ部とは異なる位置に設けられた第２リブ部
をさらに備え、
前記第１リブ部および前記第２リブ部は、前記機器の前記被カバー領域より突出する突出部と嵌合する凹部を形成し、
前記カバー部材が閉じている場合に、前記第１リブ部の内側面が、前記突出部の外側面である前記係合面に接触する
請求項２に記載のカバー部材。
【請求項４】
前記第２リブ部は、前記第１リブ部より内側に設けられ、前記第２リブ部は、前記第１リブ部の前記低背部より高い
請求項３に記載のカバー部材。
【請求項５】
前記突出部は、前記機器の筐体に設けられた筐体凹部内に設けられ、
前記カバー部材が閉じている場合に、前記第１リブの外側部の少なくとも一部が、前記筐体凹部の内側面に接触する
請求項３または４に記載のカバー部材。
【請求項６】
前記カバー部の前記第１の側部は、前記開閉回転軸に略平行に延伸し、前記カバー部の前記第２の側部は、前記開閉回転軸に略直交する方向に延伸する
請求項１から５のいずれか一項に記載のカバー部材。
【請求項７】
前記第１リブ部は、少なくとも前記第１の側部と前記第２の側部との間の角部に、前記係合面との接触深さが他の部位より浅い部位を有する
請求項６に記載のカバー部材。
【請求項８】
前記カバー部は、Ｌ字形状またはＴ字形状を有する
請求項７に記載のカバー部材。
【請求項９】
前記カバー部は、前記ヒンジ部から前記第２の側部より遠方の位置に、前記開閉回転軸に略平行な方向に延伸する第３の側部を有し、
前記カバー部材は、
前記第３の側部に設けられた指掛け部
をさらに備える請求項１から８のいずれか一項に記載のカバー部材。
【請求項１０】
請求項１から９のいずれか一項に記載のカバー部材と、
前記被カバー領域に設けられた第１部材と
を備える機器。
【請求項１１】
前記第１部材は、前記開閉回転軸に沿う方向に互いに異なる位置に複数設けられ、
複数の前記第１部材は、前記カバー部材の前記第１部分で覆われる
請求項１０に記載の機器。
【請求項１２】
前記カバー部材が閉じている場合における前記第１の側部の位置より前記開閉回転軸に近い位置に設けられた第２部材と、
前記第２部材を覆う他のカバー部材と
をさらに備える請求項１１に記載の機器。
【請求項１３】
前記カバー部材および前記他のカバー部材は、一つのヒンジピンで開閉可能に前記機器へ取り付けられる
請求項１２に記載の機器。
【請求項１４】
前記機器の筐体の内部に設けられた基板
をさらに備え、
前記基板は、前記基板の基板面に垂直な方向に前記ヒンジ部から離間して設けられ、
複数の前記第１部材は、前記基板上に設けられた複数のコネクタであり、
前記複数のコネクタのそれぞれコネクタ開口部は、前記機器の前記被カバー領域に位置する
請求項１１から１３のいずれか一項に記載の機器。
【請求項１５】
発熱部と、
前記発熱部の発熱量より発熱量が小さい部材が設けられた基板と、
前記カバー部材を含む樹脂部品と、
前記基板および前記樹脂部品で囲まれた空間の内部に設けられたセンサと
をさらに備え、
前記発熱部は、前記空間の外部に設けられる
請求項１０から１４のいずれか一項に記載の機器。
【請求項１６】
発熱部と、
前記発熱部の発熱量より発熱量が小さい部材が設けられた第１基板と、
樹脂部品と、
前記第１基板および前記樹脂部品で囲まれた空間の内部に設けられたセンサと
を備え、
前記発熱部は、前記空間の外部に設けられる
機器。
【請求項１７】
前記空間の内部に設けられた第２基板
をさらに備え、
前記センサは、前記第２基板に設けられる
請求項１６に記載の機器。
【請求項１８】
前記樹脂部品は、
前記機器の内部に設けられた樹脂フレームと、
前記樹脂フレームに固定された樹脂カバーと
を有する請求項１６または１７に記載の機器。
【請求項１９】
前記樹脂カバーは、前記第１基板に設けられたコネクタをカバーするためのカバー部材を含む
請求項１８に記載の機器。
【請求項２０】
前記センサは、角度センサである
請求項１５から１９のいずれか一項に記載の機器。
【発明の詳細な説明】
【技術分野】
【０００１】
本発明は、カバー部材および機器に関する。
【背景技術】
【０００２】
外部接続端子が露出するコネクタ用凹部を覆う携帯端末用コネクタカバーが知られている（例えば、特許文献１参照）。
［先行技術文献］
［特許文献］
［特許文献１］特開２０１２−０６４３６３号公報
【発明の概要】
【発明が解決しようとする課題】
【０００３】
例えばカバー部材のカバー部分が方形でない場合、カバー部材を開け閉めする力がカバー部分の全周に伝わりにくい。そのため、一部の部位が引っ掛かってカバー部材を開閉しにくくなってしまう。
【課題を解決するための手段】
【０００４】
本発明の第１の態様においては、ヒンジ部により開閉可能に機器へ取り付けられるカバー部材であって、カバー部材が閉じている場合に、機器の被カバー領域を覆うカバー部と、カバー部の側部に位置し、カバー部材が閉じている場合に、機器が有する係合面と接触して、カバー部材が開く動きを規制する第１リブ部とを備え、カバー部は、第１部分と、第１部分よりヒンジ部側に位置し、ヒンジ部による開閉回転軸に沿う方向の長さが第１部分より短い第２部分とを有し、第１部分は、第２部分の側の第１の側部と、ヒンジ部から離れる方向に第１の側部から延びる第２の側部とを有し、第１リブ部は、第１の側部から第２の側部にわたる少なくとも一部に、係合面との接触深さが他の部位より浅い部位を有する。
【０００５】
本発明の第２の態様においては、機器は、上記カバー部材と、被カバー領域に設けられた第１部材とを備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】一実施形態におけるカメラ１００の外観の一例を示す。
【図２】カメラ１００の側面部の斜視図を示す。
【図３】各コネクタカバーが開いた状態の側面部の正面図を示す。
【図４】各コネクタカバーが閉じた状態の側面部の正面図を示す。
【図５】コネクタカバー１０の斜視図を示す。
【図６】裏側面２６０からみたコネクタカバー１０の正面図を示す。
【図７】図４のＡ−Ａ断面を示す。
【図８】図４のＢ−Ｂ断面を示す。
【図９】カメラ１００の斜視分解図を示す。
【図１０】カメラ１００の内部構成を示す。
【図１１】カメラ１００の縦断面から見た内部構成を示す。
【図１２】カメラ１００の横断面から見た内部構成を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、一実施形態におけるカメラ１００の外観の一例を示す。カメラ１００は、コネクタカバー１０、コネクタカバー１１およびコネクタカバー１２を、筺体の側面部の一部を形成する側部外装カバーユニット１０２に備える。側部外装カバー１０５、コネクタカバー１０、コネクタカバー１１およびコネクタカバー１２は、樹脂で形成される。側部外装カバー１０５は、コネクタカバー１０、コネクタカバー１１およびコネクタカバー１２よりも硬質の樹脂で形成される。
【００１０】
カメラ１００の筐体の側面部には、ＵＳＢコネクタ１１１およびＨＤＭＩコネクタ１１２が設けられる。ＵＳＢコネクタ１１１およびＨＤＭＩコネクタ１１２は、データ入出力用の機器が接続されるコネクタの一例である。コネクタカバー１０は、ＵＳＢコネクタ１１１およびＨＤＭＩコネクタ１１２を覆う。カメラ１００の筐体の側面部には、アクセサリ機器を接続するアクセサリ用コネクタが設けられ、当該アクセサリ用コネクタは、コネクタカバー１１によって覆われる。カメラ１００の筐体の側面部には、音声入力機器を接続する音声入力用コネクタおよび音声出力機器を接続する音声出力用コネクタが設けられ、当該音声入力用コネクタおよび音声出力用コネクタはコネクタカバー１２によって覆われる。
【００１１】
コネクタカバー１０、コネクタカバー１１およびコネクタカバー１２は、互いに独立して開閉することができる。コネクタカバー１０は、ヒンジ部２０により開閉可能にカメラ１００へ取り付けられる。コネクタカバー１１およびコネクタカバー１２も、ヒンジ部２０と同軸のヒンジピンにより開閉可能にカメラ１００へ取り付けられる。
【００１２】
カメラ１００の背面部には、表示部１０４が設けられる。表示部１０４は、液晶パネル等の表示デバイスを有する。側面部と背面部とは、全体として略直交している。
【００１３】
図２は、カメラ１００の側面部の斜視図を示す。図３は、コネクタカバー１０、コネクタカバー１１およびコネクタカバー１２が開いた状態の側面部の正面図を示す。図４は、コネクタカバー１０、コネクタカバー１１およびコネクタカバー１２が閉じた状態の側面部の正面図を示す。側部外装カバーユニット１０２は、側部外装カバー１０５、コネクタカバー１０、コネクタカバー１１、コネクタカバー１２およびヒンジピン１７０を有する。コネクタカバー１０、コネクタカバー１１およびコネクタカバー１２は、樹脂で形成される。側部外装カバー１０５は、コネクタカバー１０、コネクタカバー１１およびコネクタカバー１２よりも硬質の樹脂で形成される。なお、図２では、コネクタカバー１０、コネクタカバー１１およびコネクタカバー１２のうち、コネクタカバー１０だけが、カメラ１００の側部外装カバー１０５に組み付けられた状態を示す。
【００１４】
側部外装カバー１０５には、デバイスをカメラ１００の外部に露出する開口部が設けられる。具体的には、側部外装カバー１０５には、ＵＳＢコネクタ１１１をカメラ１００の外部へ露出する開口部１８１、ＨＤＭＩコネクタ１１２をカメラ１００の外部へ露出する開口部１８２、開口部１９０、アクセサリ用コネクタをカメラ１００の外部へ露出する開口部１８３が形成される。開口部１９０は、側部外装カバー１０５を筐体内部のフレームに組み付けるためのねじが貫通する貫通孔である。側部外装カバー１０５が組み付けられた場合に、側部外装カバー１０５はカメラ１００の筐体の一部を形成する。
【００１５】
また、側部外装カバー１０５には、マイクジャック等の音声入力用コネクタをカメラ１００の外部へ露出する開口部１８４、および、ヘッドフォンジャック等の音声出力用コネクタをカメラ１００の外部へ露出する開口部１８５が形成される。開口部１８１、開口部１８２および開口部１９０と、開口部１８４および開口部１８５と、開口部１８３とは、側部外装カバー１０５に形成された仕切りリブ１３０で互いに仕切られる。開口部１８１、開口部１８２および開口部１９０は、コネクタカバー１０によって覆われる。開口部１８３は、コネクタカバー１１によって覆われる。開口部１８４および開口部１８５は、コネクタカバー１２によって覆われる。
【００１６】
開口部１８１、開口部１８２、および開口部１９０は、仕切りリブ１３０で画定される筐体凹部１５０の底面に設けられる。筐体凹部１５０の内側面には、コネクタカバー１０の外側面が嵌合して、閉位置に保持される。開口部１８１、開口部１８２および開口部１９０は、コネクタカバー１０が閉じている場合に、コネクタカバー１０によって覆われる。
【００１７】
側部外装カバー１０５が有する筐体凹部１５０内には、突出部１４０が設けられる。突出部１４０は、閉じた凸条部として筐体凹部１５０内に形成される。開口部１８１および開口部１８２は、突出部１４０の内側に位置する。開口部１９０は、突出部１４０の外側に位置する。
【００１８】
コネクタカバー１０は、カバー部２４０、外側リブ２１０、内側リブ２２０、第１横リブ２１２、縦リブ２１３、第２横リブ２１４、および、指掛け部２８０を有する。外側リブ２１０、内側リブ２２０、第１横リブ２１２、縦リブ２１３、および第２横リブ２１４は、カバー部２４０の裏側面２６０に設けられる。裏側面２６０は、コネクタカバー１０が閉じている場合に、筺体凹部１５０の底部に対向する。コネクタカバー１０は、弾性素材から形成され、弾性変形する。コネクタカバー１０は、少なくとも可撓性を有してよい。
【００１９】
カバー部２４０は板状の部材であり、コネクタカバー１０が閉じている場合に、カメラ１００の一部の領域を覆う。コネクタカバー１０が閉じている場合にカバー部２４０によって覆われるカメラ１００の被カバー領域には、開口部１８１に設けられるＵＳＢコネクタ１１１および開口部１８２に設けられるＨＤＭＩコネクタ１１２が設けられる。ＵＳＢコネクタ１１１およびＨＤＭＩコネクタ１１２それぞれのコネクタ開口部は、カメラ１００の被カバー領域に位置する。ＵＳＢコネクタ１１１およびＨＤＭＩコネクタ１１２は、カバー部２４０によって覆われる複数の部材の一例である。
【００２０】
外側リブ２１０は、カバー部２４０の側部に位置する。具体的には、外側リブ２１０は、カバー部２４０の縁部に沿って設けられる。外側リブ２１０は、閉じた凸条部として裏側面２６０に形成される。
【００２１】
内側リブ２２０は、外側リブ２１０とは異なる位置に設けられる。具体的には、内側リブ２２０は、外側リブ２１０より内側に設けられる。内側リブ２２０は、閉じた凸条部として裏側面２６０に形成される。外側リブ２１０および内側リブ２２０のそれぞれの延伸方向に直交する向きの厚さは、外側リブ２１０より内側リブ２２０の方が厚い。
【００２２】
外側リブ２１０は、コネクタカバー１０が閉じている場合に、カメラ１００が有する係合面と接触して、コネクタカバー１０が開く動きを規制する。具体的には、コネクタカバー１０が閉じている場合、外側リブ２１０の内側面は、突出部１４０の外側面に接触する。突出部１４０の外側面が係合面となる。これにより、コネクタカバー１０が閉じている場合に、外側リブ２１０の内側面と突出部１４０の外側面とが摩擦係合して、コネクタカバー１０が開く動きを規制する。また、コネクタカバー１０が閉じている場合、外側リブ２１０の外側面は、仕切りリブ１３０の内側面に接触する。すなわち、コネクタカバー１０が閉じている場合に、外側リブ２１０の外側部の少なくとも一部が、筐体凹部１５０の内側面に接触する。また、コネクタカバー１０が閉じている場合、内側リブ２２０の外側面は、突出部１４０の内側面に接触する。
【００２３】
コネクタカバー１０は、ヒンジピン１７０が挿通されるピン挿通部２７０ａおよびピン挿通部２７０ｂを有する。ヒンジピン１７０は、側部外装カバー１０５に固定して設けられる。ヒンジピン１７０、ピン挿通部２７０ａおよびピン挿通部２７０ｂは、コネクタカバー１０を開閉可能にカメラ１００に取り付けるヒンジ部として機能する。コネクタカバー１０、コネクタカバー１１およびコネクタカバー１２は、共通のヒンジピン１７０で開閉可能にカメラ１００に取り付けられる。
【００２４】
例えば図２および図４に図示されるように、コネクタカバー１０は、全体としてＬ字形状を有する。指掛け部２８０にユーザが指を掛けてコネクタカバー１０を開ける力を与えると、カバー部２４０はヒンジピン１７０を支点として回転しようとして、外側リブ２１０と突出部１４０との係合を解除する力が働く。しかし、カバー部２４０はＬ字部分を有するので、ヒンジピン１７０の開閉回転軸方向に張り出した部位２５０には、コネクタカバー１０を開ける力が外側リブ２１０と突出部１４０との係合を解除する力として伝わりにくい。そこで、外側リブ２１０には、部位２５０に低背部が設けられる。そのため、部位２５０では、コネクタカバー１０が閉じている場合の外側リブ２１０と突出部１４０との間の係合力は、コネクタカバー１０の他の部位より小さくなる。したがって、コネクタカバー１０が閉じている状態から開ける力をコネクタカバー１０に与えると、部位２５０において外側リブ２１０が突出部１４０に強く引っ掛かることがなくなる。
【００２５】
第１横リブ２１２、縦リブ２１３および第２横リブ２１４は、内側リブ２２０の内側に設けられる。第１横リブ２１２は、開閉回転軸に垂直な方向に延伸する。第１横リブ２１２により、カバー部２４０の変形が抑制され、コネクタカバー１０を開ける力が開閉回転軸に直交する方向に伝達される。縦リブ２１３は、第１横リブ２１２に略垂直に延伸し、コネクタカバー１０を開ける力を開閉回転軸に沿う方向に伝達する。第２横リブ２１４は、縦リブ２１３から開閉回転軸に略垂直な方向に延伸する。第２横リブ２１４は、カバー部２４０において開閉回転軸に沿う方向に張り出た部分に設けられ、開閉回転軸に垂直な方向に力を伝達する。縦リブ２１３は、第１横リブ２１２および第２横リブ２１４と略直交する。第１横リブ２１２、縦リブ２１３および第２横リブ２１４を設けることで、第１横リブ２１２、縦リブ２１３および第２横リブ２１４を設けていない場合と比較して、指掛け部２８０に与えた力を、指掛け部２８０から離れた部位により強く伝達することができる。そのため、角部の部位２５０における外側リブ２１０の高さを必要以上に低くする必要がない。
【００２６】
図３は、カメラ１００の筐体の内部に設けられる基板３００の位置を点線で示す。基板３００は、コネクタカバー１０により覆われる複数のコネクタを有する基板の一例である。基板３００は、主として高速信号を伝送する回路を有する。ＵＳＢコネクタ１１１およびＨＤＭＩコネクタ１１２は、基板３００上に設けられる。具体的には、ＵＳＢコネクタ１１１およびＨＤＭＩコネクタ１１２は、基板３００に直付けされる。より具体的には、ＵＳＢコネクタ１１１およびＨＤＭＩコネクタ１１２は、基板３００の同一の基板面の端部に設けられる。基板３００は、基板３００の基板面に垂直な方向に開閉回転軸から離間して設けられる。基板３００は、例えば表示部１０４が設けられた背面部に略平行に組み付けられる。ＵＳＢコネクタ１１１およびＨＤＭＩコネクタ１１２は、開閉回転軸に沿う方向に互いに異なる位置に配置される。例えば、ＵＳＢコネクタ１１１およびＨＤＭＩコネクタ１１２は、開閉回転軸に沿う方向に並んで配置される。なお、カメラ１００の筐体内部には、カメラ１００の姿勢を検出する姿勢検出センサが設けられる。姿勢検出センサは、側部外装カバー１０５が組み付けられた場合に、筐体内部において開口部１９０と開口部１８１との間に位置する。姿勢検出センサは、側部外装カバー１０５が組み付けられた場合に、開口部１８５と開口部１８３との間に位置する。姿勢検出センサについては後述する。
【００２７】
基板３００には、カメラ１００が撮像することにより得られた画像データの処理や、ＵＳＢコネクタ１１１およびＨＤＭＩコネクタ１１２を介して接続された外部機器とデータ入出力を担う処理回路が設けられてよい。処理回路としては、ＡＳＩＣやＭＰＵ等を例示することができる。ＵＳＢコネクタ１１１およびＨＤＭＩコネクタ１１２が基板３００に直付けされるので、処理回路までの配線が長くなることがない。そのため、カメラ１００は外部機器と高速にデータ入出力を行うことが可能になる。例えばカメラ１００は、撮像により得られた画像データを、パーソナルコンピュータやＡＶ機器等の外部機器へ高速に転送することができる。
【００２８】
コネクタカバー１０によれば、開け閉めする力が伝わりにくい形状を有する場合でも、引っ掛かりがなく開け閉めが容易なカバー部材を提供することができる。そのため、カバー部が例えば方形とは異なる異形のカバー部材を適用する等、多様な形状のカバー部を適用することが可能になる。これにより、コネクタの配置に関する設計上の自由度を高めることができる。例えば、上述したようにＵＳＢコネクタ１１１およびＨＤＭＩコネクタ１１２の位置は、基板３００を設ける位置から制約を受ける。しかし、コネクタカバー１０によれば、比較的に自由な形状を持たせることができるので、１つのコネクタカバー１０でＵＳＢコネクタ１１１およびＨＤＭＩコネクタ１１２を覆うことが可能になる。
【００２９】
また、開口部１８３で露出されるアクセサリ用コネクタを１つのコネクタカバー１１で開閉でき、開口部１８４で露出される音声入力コネクタおよび開口部１８５で露出される音声出力用コネクタをコネクタカバー１２で開閉できる。そのため、例えばカメラ用アクセサリ用コネクタと、ＵＳＢコネクタやＨＤＭＩコネクタとカメラ用アクセサリ用コネクタとを同一のカバー部材で開閉するようにすると、カメラ用アクセサリ用コネクタだけを使用するためにカバー部材を開けると、ＵＳＢコネクタやＨＤＭＩコネクタも外部に露出されてしまう。このため、ＵＳＢコネクタやＨＤＭＩコネクタ用の開口部等から塵が入り込み易くなってしまう。音声入力用コネクタおよび音声出力用コネクタについても同様である。
【００３０】
しかし、カメラ１００のように、コネクタカバー１０、コネクタカバー１１およびコネクタカバー１２を独立して開閉可能に設けることで、使用しないコネクタが露出される機会を低減することができる。なお、コネクタカバー１０は、ＵＳＢコネクタ１１１およびＨＤＭＩコネクタ１１２を覆うが、ＵＳＢコネクタ１１１およびＨＤＭＩコネクタ１１２は、多くの場合屋内で使用されるので、ＵＳＢコネクタ１１１およびＨＤＭＩコネクタ１１２の一方が露出した状態で使用されても、その影響は小さい。
【００３１】
なお、音声入力用コネクタおよび音声出力用コネクタは、同時に使用される場合がある。例えば、マイクで音声を取得して音声データとして記録しながら、取得されている音声を、外部スピーカを通さずにヘッドフォンで聞くような場合がある。そのため、両コネクタ開口は塞がれている機会も多い。そのため、音声入力用コネクタおよび音声出力用コネクタを一つのコネクタカバー１２で覆うようにしても、塵が入り込む機会が低減することができる。
【００３２】
コネクタカバー１０のように、カバー部の形状の自由度を高めることができるので、例えば使用環境が異なる複数のコネクタを互いに別のカバー部材で開閉できるようにすることができる。使用環境が類似したコネクタはまとめて一つのコネクタカバーで覆うようにすればよいので、部品点数が必要以上に増大することがなく、ユーザの使い勝手も高まる。また、カバー部の形状の自由度が高まるので、コネクタの位置に大きな制約が生じることもない。
【００３３】
図５は、コネクタカバー１０の斜視図を示す。図６は、裏側面２６０からみたコネクタカバー１０の正面図を示す。図７は、図４のＡ−Ａ断面を示す。図８は、図４のＢ−Ｂ断面を示す。
【００３４】
外側リブ２１０および内側リブ２２０は、カメラ１００の被カバー領域より突出する突出部１４０と嵌合する凹部２３０を形成する。具体的には、外側リブ２１０の内側面と内側リブ２２０の外側面との間には、凹部２３０が形成される。凹部２３０は、凹条部として形成される。コネクタカバー１０が閉じている場合、突出部１４０が凹部２３０に嵌合して、コネクタカバー１０が開く動きが規制される。
【００３５】
外側リブ２１０の外側部には、リブ２１５およびリブ２１６が設けられる。コネクタカバー１０が閉じている場合、リブ２１５およびリブ２１６は、仕切りリブ１３０で形成される筐体凹部１５０の内側面に当接する。リブ２１５およびリブ２１６により、コネクタカバー１０が筐体凹部１５０に嵌合する力が高まる。リブ２１５およびリブ２１６は、縦リブ２１３の延長線上に設けられる。
【００３６】
コネクタカバー１０は、ヒンジ部の機能の一部を提供するヒンジ構造として、ピン挿通部２７０ａ、ピン挿通部２７０ｂおよびピンガイド部２７３を有する。ピン挿通部２７０には、ヒンジピン１７０が挿通されるピン挿通孔２７１が形成されている。ピンガイド部２７３は、ヒンジピン１７０をガイドするガイド溝２７２を有する。ピン挿通部２７０およびピンガイド部２７３は、ヒンジピン１７０の周りに回転可能に設けられ、コネクタカバー１０の回転運動の支点を定める。
【００３７】
図６に示されるように、カバー部２４０は、開閉回転軸に沿う方向に長さＬ１を持ち、開閉回転軸に垂直な方向に長さＬ３１を持つ第１部分と、開閉回転軸に沿う方向に長さＬ２＋Ｌ３を持ち、開閉回転軸に垂直な方向に長さＬ３２を持つ第２部分とを有する。
【００３８】
第２部分は、開閉回転軸に略垂直な方向に延伸する側部６１４と、開閉回転軸に対向する側部６１３と、開閉回転軸に略垂直な方向に延伸する側部６１１と、湾曲側部６１２とを順に有する。湾曲側部６１２は、第１部分において第２部分側に位置する側部６００と側部６１１との間に形成される。湾曲側部６１２は、側部６１１から続いて形成され、開閉回転軸に沿う方向にＬ３の幅を延伸して、側部６００に続く。第２部分における開閉回転軸に沿う方向の幅の最大値はＬ２＋Ｌ３である。
【００３９】
第１部分の側部６００は、Ｌ４＋Ｌ５の長さだけ延伸する。側部６００は、開閉回転軸に略平行に延伸する。第１部分は、側部６００に続いて、湾曲側部６０２と、開閉回転軸に略垂直な方向にＬ１１＋Ｌ１２の長さだけ延伸する側部６０３と、湾曲側部６０４と、開閉回転軸に沿う方向に延伸する側部６０５と、湾曲側部６０６と、開閉回転軸に略垂直な方向に延伸し側部６１４に続く側部６０７とを順に有する。側部６０５は、ヒンジ部から側部６０３より遠方の位置にあり、開閉回転軸に略平行な方向にＬ２２だけ延伸する。指掛け部２８０は、側部６０５に設けられる。指掛け部２８０は、第１横リブ２１２の近傍に設けられる。
【００４０】
このうち、外側リブ２１０は、側部６００から側部６０３にわたる少なくとも一部の部位に、低背部を有する。具体的には、外側リブ２１０は、側部６００において湾曲側部６１２に接続する位置から長さＬ４だけ開閉回転軸に沿う方向に離れた位置から、側部６０３において湾曲側部６０２に接続する位置からＬ１１だけ延伸した位置までの間にわたって、他の部位より低い低背部を有する。
【００４１】
このように、カバー部２４０は、第１部分と、第１部分よりヒンジ部側に位置し、ヒンジ部による開閉回転軸に沿う方向の長さが第１部分より短い第２部分とを有する。第１部分は、第２部分から続く第１の側部と、ヒンジ部から離れる方向に第１の側部から延びる第２の側部とを有する。そして、外側リブ２１０は、第１部分および第２部分の縁部に沿って設けられ、第１の側部から第２の側部にわたる少なくとも一部に低背部を有する。
【００４２】
なお、本例では、側部６００部の一部と、湾曲側部６０２と、側部６０３の一部とに、低背部を有するとした。しかし、外側リブ２１０は、側部６００部から側部６０３までの全域に低背部を有してもよい。なお、外側リブ２１０は、少なくとも側部６００と側部６０３との間の角部に、突出部１４０との接触深さが他の部位より浅い部位を有することが好ましい。なお、他の部位より浅いとは、突出していないことを含む概念である。例えば、外側リブ２１０は、少なくとも側部６００と側部６０３との間の角部において、裏側面２６０から突出していない部位を有してもよい。
【００４３】
図７に示されるように、Ａ−Ａ断面においては、外側リブ２１０は、第１部分における側部６０５の部位の高さは、ヒンジピン１７０に対向する部位の高さと略同一である。内側リブ２２０も同様に、第１部分における側部６０５の部位の高さは、ヒンジピン１７０に対向する部位の高さと略同一である。したがって、コネクタカバー１０が閉じている場合に、突出部１４０と凹部２３０との間の嵌合力は同程度になる。
【００４４】
コネクタカバー１０が閉じている状態から指掛け部２８０に引き上げる力を与えると、カバー部２４０はヒンジピン１７０を支点として回転しようとして、ヒンジピン１７０に近い第２部分にも引き上げる力がきちんと伝わる。そのため、ヒンジピン１７０に対向する部位にも、突出部１４０と凹部２３０との嵌合を解除する力がきちんと働く。そのため、開閉回転軸に対向する部位において外側リブ２１０を低くしなくても、外側リブ２１０が突出部１４０に強く引っ掛かることはない。コネクタカバー１０を閉じる場合も、突出部１４０が凹部２３０に嵌合する方向にきちんと力が伝わるので、ヒンジピン１７０に対向する部位が極端に閉まりにくくなることがない。また、突出部１４０を凹部２３０にしっかりと嵌合させることができるので、コネクタカバー１０が外れにくくすることができる。また、コネクタカバー１０が簡単に浮き上がることもない。
【００４５】
図８に示されるように、Ｂ−Ｂ断面においては、外側リブ２１０は、ヒンジピン１７０に対向する側部６００の部位に、第１部分における側部６０５の部位より低い低背部を持つ。外側リブ２１０は、低背部においては突出部１４０に深く接触しないので、低背部にかかる引き上げ力が小さくても、突出部１４０と凹部２３０との嵌合は比較的に容易に解除される。仮に外側リブ２１０に低背部を設けない場合、カバー部２４０はこの部位を支点として変形してしまい、嵌合が解除されにくくなってしまう。コネクタカバー１０によれば、低背部を設けることで適度な力を指掛け部２８０に与えることで、突出部１４０と凹部２３０との嵌合が解除される。したがって、外側リブ２１０が突出部１４０に強く引っ掛かることはない。コネクタカバー１０を閉じる場合も同様である。
【００４６】
なお、仕切りリブ１３０は、突出部１４０より高い位置まで突出している。したがって、仕切りリブ１３０と外側リブ２１０との間の接触深さは、突出部１４０と外側リブ２１０との間の接触深さより深い。そのため、外側リブ２１０に低背部を設けても、仕切りリブ１３０と低背部とを適度な深さだけ接触させることができる。また、内側リブ２２０には低背部を設けておらず、内側リブ２２０は外側リブ２１０の低背部より高い。突出部１４０と内側リブ２２０とを適度な深さだけ接触させることができる。そのため、外側リブ２１０に低背部を設けても、塵等が入り易くなることはない。なお、コネクタカバー１０を引き上げる力に対する係合の強さは、外側リブ２１０と突出部１４０との間の係合の強さが大きく寄与する。したがって、仕切りリブ１３０を高くしても、係合が著しく解除されにくくなることはない。同様に、内側リブ２２０を低くしなくとも、係合が著しく解除されにくくなることもない。
【００４７】
なお、図３および図４に示されるように、コネクタカバー１０が閉じている場合における側部６００の位置より開閉回転軸に近い位置には、アクセサリ用コネクタが設けられる。アクセサリ機器としては、ＧＰＳユニット、リモコンユニット等を例示することができる。かかる機器は、ＵＳＢ通信やＨＤＭＩ通信ほど高速なデータ入出力は要しない。したがって、基板３００からアクセサリ用コネクタまでの配線が多少長くなっても受ける影響は小さい。そのため、アクセサリ用コネクタを基板３００から離れた位置に設けることが可能になる。このため、アクセサリコネクタを、コネクタカバー１０の張り出し部分の開閉回転軸側の位置に設けることができる。そのため、コネクタ類の配置をコンパクトにまとめることができる。
【００４８】
上記の説明においては、外側リブ２１０が低背部を有するとして説明した。しかし、突出部１４０が低背部を有し、外側リブ２１０は低背部を有しなくてもよい。また、外側リブ２１０および突出部１４０の双方が低背部を有してもよい。いずれの態様によっても、外側リブ２１０とカメラ１００が有する係合面との接触深さを他の部位より浅くすることができる。すなわち、外側リブ２１０は、側部６００から側部６０３にわたる少なくとも一部に、カメラ１００が有する係合面との接触深さが他の部位より浅い部位を有すればよい。
【００４９】
上記の例では、コネクタカバー１０は、カバー部材の一例として、Ｌ字部を有するコネクタカバー１０を有するとした。しかし、カバー部材の形状は、Ｌ字部に限られず、Ｔ字部を有する形状等、種々の形状を採用できる。
【００５０】
上記の説明において、ヒンジピン１７０により、コネクタカバー１０のヒンジ機能が提供されるとした。しかし、コネクタカバー１０は、弾性ヒンジを有してよく、弾性ヒンジにより開閉可能にカメラ１００に取り付けられてよい。
【００５１】
図９は、カメラ１００の斜視分解図を示す。カメラ１００は、高速回路ユニット３０２、低速回路ユニット９０２、撮像ユニット９５０、樹脂フレーム９１０、センサ基板９２０、角度センサ９３０を、筺体の内部に有する。側部外装カバーユニット１０２および背部外装カバーユニット１０６は、カメラ１００の筐体の一部を形成する。角度センサ９３０は、上述した姿勢検出センサの一例である。
【００５２】
高速回路ユニット３０２は、基板３００と、ＵＳＢコネクタ１１１と、ＨＤＭＩコネクタ１１２と、マイクジャック１１４とを有する。ＵＳＢコネクタ１１１、ＨＤＭＩコネクタ１１２およびマイクジャック１１４は、基板３００に設けられている。高速回路ユニット３０２がカメラ１００として組み付けられた場合、ＵＳＢコネクタ１１１は、図２等に示す開口部１８１に位置合わせされることで外部に露出され、ＨＤＭＩコネクタ１１２は、図２等に示す開口部１８２に位置合わせされることで外部に露出され、マイクジャック１１４は、図２等に示す開口部１８４に位置合わせされることで外部に露出される。マイクジャック１１４は、コネクタカバー１２で覆われる。このように、側部外装カバーユニット１０２は、基板３００に設けられたコネクタをカバーするためのコネクタカバー１０およびコネクタカバー１２を含む。
【００５３】
撮像ユニット９５０は、ＣＭＯＳ、ＣＣＤ等の撮像素子を有する。基板３００には、撮像動作により撮像ユニット９５０で生成された画像データを処理する処理回路が設けられる。また、基板３００には、ＵＳＢコネクタ１１１およびＨＤＭＩコネクタ１１２を介する通信データを処理する処理回路が設けられる。すなわち、基板３００は、高速データ通信用の高速インタフェース基板としても機能する。
【００５４】
低速回路ユニット９０２は、低速インタフェース基板９００と、アクセサリ用コネクタ９０３と、ヘッドフォンジャック９０５とを有する。アクセサリ用コネクタ９０３およびヘッドフォンジャック９０５は、低速インタフェース基板９００に設けられる。低速回路ユニット９０２がカメラ１００として組み付けられた場合、アクセサリ用コネクタ９０３は、図２等に示す開口部１８３に位置合わせされることで外部に露出され、ヘッドフォンジャック９０５は、図２等に示す開口部１８５に位置合わせされることで外部に露出される。アクセサリ用コネクタ９０３は、コネクタカバー１１で覆われる。ヘッドフォンジャック９０５は、コネクタカバー１２で覆われる。このように、側部外装カバーユニット１０２は、低速インタフェース基板９００に設けられたコネクタをカバーするためのコネクタカバー１１およびコネクタカバー１２を含む。
【００５５】
低速インタフェース基板９００には、撮像ユニット９５０および高速回路ユニット３０２が伝送する信号より低速な信号を伝送する回路が設けられる。具体的には、低速インタフェース基板９００には、アクセサリ用コネクタ９０３を介してアクセサリとの間で送受信されるデータを伝送する回路、ヘッドフォンジャック９０５を介してヘッドフォンに出力される電気信号を伝送する回路が設けられる。そのため、低速インタフェース基板９００で生じる発熱量は、撮像ユニット９５０で生じる発熱量より小さい。また、低速インタフェース基板９００で生じる発熱量は、高速回路ユニット３０２で生じる発熱量より小さい。低速インタフェース基板９００は、基板面が基板３００の基板面に対して略平行になるように組み付けられる。
【００５６】
樹脂フレーム９１０は、樹脂で形成された樹脂部品である。樹脂フレーム９１０は、断熱性を有する素材で形成された断熱部材の一例である。例えば、樹脂フレーム９１０は、カメラ１００の外装筐体内部に有する金属フレームより断熱性が高い素材で形成される。樹脂フレーム９１０は、カメラ１００として各部品が組み付けられた場合に、低速インタフェース基板９００の基板面に対向する面を持つフレーム部９１１と、当該基板面に略直交する面を持つフレーム部９１２とを有する。センサ基板９２０は、樹脂フレーム９１０にねじ止めされている。具体的には、センサ基板９２０は、樹脂フレーム９１０のフレーム部９１１にねじ止めされている。センサ基板９２０は、当該基板面とフレーム部９１１との間に位置する。センサ基板９２０は、フレーム部９１１に対向する面である第１の面と、第１の面の反対側の面である第２の面とを有する。センサ基板９２０の第２の面は、低速インタフェース基板９００の基板面に対向する。センサ基板９２０には、角度センサ９３０が設けられる。具体的には、角度センサ９３０は、センサ基板９２０の第２の面に設けられる。角度センサ９３０としては、ジャイロセンサ等を例示することができる。ジャイロセンサとしては、振動型ジャイロセンサ等を例示することができる。
【００５７】
側部外装カバー１０５は、樹脂フレーム９１０に組み付けられる。例えば、側部外装カバー１０５は、開口部１９０を介してねじ止めによりフレーム部９１１に組み付けられる。具体的には、側部外装カバー１０５は、フレーム部９１１に形成されたねじ穴９１５に開口部１９０を位置合わせした状態で開口部１９０からねじでねじ止めされて、フレーム部９１１に組み付けられる。側部外装カバー１０５は、一部が樹脂フレーム９１０に接触して組み付けられる。
【００５８】
図１０は、側部外装カバー１０５のコネクタ部分から見たカメラ１００の内部構成を示す。図１０は、側部外装カバー１０５の一部を省略した場合の内部構成を示す。図１１は、カメラ１００の縦断面から見た内部構成を示す。図１１は、ＵＳＢコネクタ１１１、ＨＤＭＩコネクタ１１２、マイクジャック１１４、ヘッドフォンジャック９０５およびアクセサリ用コネクタ９０３を切断する縦断面から見たカメラ１００の内部構成である。図１２は、カメラ１００の横断面から見た内部構成を示す。図１２は、ＵＳＢコネクタ１１１および角度センサ９３０を切断する横断面からみたカメラ１００の内部構成である。
【００５９】
図９および図１２に示されるように、センサ基板９２０は、基板面から略垂直に突出した突設部９２２を有する。具体的には、突設部９２２は、センサ基板９２０の第２の面から突出している。突設部９２２は、フレーム部９１２に対向する面である第３の面と、第３の面の反対側の面である第４の面とを有する。突設部９２２の第４の面は、側部外装カバー１０５に対向する。低速インタフェース基板９００の基板面の縁部は、突設部９２２の第４の面に近接している。突設部９２２は、センサ基板９２０の第２の面から、低速インタフェース基板９００を超えて、低速インタフェース基板９００より高速回路ユニット３０２に近い位置まで延びている。突設部９２２には、角度センサ９３２が設けられる。具体的には、角度センサ９３２は、突設部９２２の第３の面に設けられる。角度センサ９３２は、突設部９２２とフレーム部９１２との間に、フレーム部９１２に近接して設けられる。角度センサ９３２と撮像ユニット９５０との間には、フレーム部９１２が存在するので、角度センサ９３２を撮像ユニット９５０から熱的に隔離することができる。具体的には、フレーム部９１２が存在する場合は、フレーム部９１２が存在しない場合と比較して、撮像ユニット９５０で発生し角度センサ９３２へ伝導、対流または放射により流入する熱量を低減することができる。
【００６０】
角度センサ９３０は、センサ基板９２０の第２の面に設けられ、突設部９２２と側部外装カバー１０５との間に位置する。角度センサ９３０は、角度センサ９３２よりも外装筐体に近い位置に設けられる。また、角度センサ９３０は、角度センサ９３２よりも、高速データ通信インタフェースとしてのＵＳＢコネクタ１１１およびＨＤＭＩコネクタ１１２に近い位置に設けられる。また、角度センサ９３０の実装面は、基板３００の基板面に略平行に設けられる。したがって、低速インタフェース基板９００が存在しない場合、角度センサ９３０は、角度センサ９３２と比較して、高速回路ユニット３０２で発生する熱、特に、通信データ信号を処理する処理回路で発生する熱の影響を受けやすい。
【００６１】
しかし、低速インタフェース基板９００の存在により、角度センサ９３０は、高速回路ユニット３０２から熱的に隔離される。例えば、低速インタフェース基板９００が存在することにより、低速インタフェース基板９００が存在しない場合と比較して、対流、放射により受ける熱量を低減することができる。また、少なくとも側部外装カバー１０５が樹脂で形成されているので、高速回路ユニット３０２で生じた熱が角度センサ９３０へ伝達することを抑制できる。特に、高速回路ユニット３０２で生じた熱が、側部外装カバー１０５に近接して設けられるＵＳＢコネクタ１１１、ＨＤＭＩコネクタ１１２等の部材を介して角度センサ９３０へ伝達することを抑制できる。
【００６２】
このように、角度センサ９３０は、低速インタフェース基板９００と、フレーム部９１１との間に、低速インタフェース基板９００に近接して設けられる。特に、角度センサ９３０は、低速インタフェース基板９００と、センサ基板９２０の第２の面との間に設けられる。また、側部外装カバー１０５は、内側面が低速インタフェース基板９００に近接して設けられる。そのため、角度センサ９３０は、低速インタフェース基板９００、側部外装カバーユニット１０２および樹脂フレーム９１０によって画定される、実質的に閉じた空間内に設けられる。そのため、角度センサ９３０は、高速回路ユニット３０２および撮像ユニット９５０から熱的に隔離される。具体的には、低速インタフェース基板９００、側部外装カバーユニット１０２および樹脂フレーム９１０が存在しない場合と比較して、撮像ユニット９５０または高速回路ユニット３０２で発生し角度センサ９３０へ伝導、対流または放射により流入する熱量を低減することができる。
【００６３】
このように、角度センサ９３０は、低速インタフェース基板９００、樹脂フレーム９１０および側部外装カバーユニット１０２で囲まれた空間の内部に設けられる。特に、角度センサ９３０は、樹脂フレーム９１０および側部外装カバーユニット１０２で囲まれた空間の内部に設けられたセンサ基板９２０に設けられる。そして、撮像ユニット９５０および高速回路ユニット３０２は、当該空間の外部に設けられる。そのため、撮像ユニット９５０および高速回路ユニット３０２に対して角度センサ９３０を熱的に隔離することができる。
【００６４】
このように、カメラ１００によれば、低速インタフェース基板９００、樹脂フレーム９１０および側部外装カバーユニット１０２によって、角度センサ９３０および角度センサ９３２を熱源から実質的に隔離することができるので、カメラ１００の動作時の温度変化によって生ずる角速度センサの出力値変動を低減することができる。そのため、低速インタフェース基板９００、樹脂フレーム９１０および側部外装カバーユニット１０２で角速度センサを囲わない場合と比較して、角度の測定精度を高めることができる。また、低速インタフェース基板９００、樹脂フレーム９１０および側部外装カバーユニット１０２のように、カメラ１００を構成する部品を用いて角度センサ９３０および角度センサ９３２を囲うことで、部品点数の増大を抑制でき、コスト上昇や重量の増大を抑制できる。
【００６５】
なお、撮像ユニット９５０および高速回路ユニット３０２は、発熱部の一例であり、低速インタフェース基板９００は、撮像ユニット９５０および高速回路ユニット３０２の発熱量より発熱量が小さい部材が設けられた基板の一例である。なお、発熱部は、撮像ユニット９５０や高速回路ユニット３０２に限られない。例えば、発熱部は、電源回路等であってもよい。また、側部外装カバーユニット１０２は、樹脂フレーム９１０に固定された樹脂カバーの一例である。角度センサ９３０を囲むための樹脂カバーとしては、カメラ１００が備える種々の樹脂カバーを適用できる。例えば、コネクタカバー１０、コネクタカバー１１およびコネクタカバー１２を有しない、筺体の外装の一部を提供する外装カバーを、樹脂カバーとして適用してよい。また、樹脂フレーム９１０および側部外装カバーユニット１０２は、低速インタフェース基板９００とともに角度センサ９３０を囲む樹脂部品の一例である。樹脂部品としては、樹脂フレーム９１０や側部外装カバーユニット１０２の他に、樹脂で形成された機械要素等、カメラ１００を構成する種々の構成部品を適用することができる。なお、角度センサ９３０を囲む部品は、樹脂に限らず、断熱特性を持つ種々の素材で形成された機械要素であってよい。
【００６６】
本実施形態では、カメラ１００が有する発熱部から熱的に隔離されるセンサとして、角度センサ９３０を取り上げて説明した。しかし、発熱部から隔離されるセンサは、角度センサに限られない。すなわち、上述した低速インタフェース基板９００や樹脂部品を用いて、電子水準器を含む種々のセンサを発熱部から熱的に隔離してよい。これにより、センサへ流入する熱量を低減することができ、発熱部で生じる熱がセンサの出力値に与える影響を低減することができる。
【００６７】
従来は、発熱部で生じた熱がセンサに大きく影響を与えてしまうという課題があった。例えば、カメラにおいては、記録画素数が増大したり、動画データ等に対する記録用または表示用の処理に係る演算量が増大したりすることで発熱が増大して、内部に設けたセンサの出力に大きく影響を与えてしまうという課題があった。例えば特開２００９−１８８４７６号公報には、角度検出手段としての加速度センサの出力値の温度による変動を高精度に補正するとした撮像装置が記載されている。これに対し、本実施形態のカメラ１００によれば、発熱部で生じた熱がセンサに与える影響を低減することができる。ひいては、センサの出力値に対して高精度な温度補償を行う必要性を小さくすることができる。
【００６８】
また、本実施形態では、カバー部材の一例として、コネクタカバー１０を取り上げて説明した。しかし、カバー部材として、コネクタカバー以外の種々のカバー部材を適用の対象とすることができる。また、カバー部材を備える機器の一例として、カメラ１００を取り上げた。しかし、カバー部材を備える機器として、カメラ１００以外の種々の電子機器を適用の対象とすることができる。また、カバー部材を備える機器として、電子機器以外の種々の電気製品を適用の対象とすることができる。また、カバー部材を備える機器は、電気製品に限られず、種々の製品を適用の対象とすることができる。
【００６９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７１】
１０  コネクタカバー、１１  コネクタカバー、１２  コネクタカバー、２０  ヒンジ部、１００  カメラ、１０２  側部外装カバーユニット、１０４  表示部、１０５  側部外装カバー、１０６  背部外装カバーユニット、１１１  ＵＳＢコネクタ、１１２  ＨＤＭＩコネクタ、１１４  マイクジャック、１３０  仕切りリブ、１４０  突出部、１５０  筐体凹部、１７０  ヒンジピン、１８１  開口部、１８２  開口部、１８３  開口部、１８４  開口部、１８５  開口部、１９０  開口部、２１０  外側リブ、２１２  第１横リブ、２１３  縦リブ、２１４  第２横リブ、２１５  リブ、２１６  リブ、２２０  内側リブ、２３０  凹部、２４０  カバー部、２５０  部位、２６０  裏側面、２７０  ピン挿通部、２７１  ピン挿通孔、２７２  ガイド溝、２７３  ピンガイド部、２８０  指掛け部、３００  基板、３０２  高速回路ユニット、６００  側部、６０２  湾曲側部、６０３  側部、６０４  湾曲側部、６０５  側部、６０６  湾曲側部、６０７  側部、６１１  側部、６１２  湾曲側部、６１３  側部、６１４  側部、９００  低速インタフェース基板、９０２  低速回路ユニット、９０３  アクセサリ用コネクタ、９０５  ヘッドフォンジャック、９１０  樹脂フレーム、９１１、９１２  フレーム部、９１５  ねじ穴、９２０  センサ基板、９２２  突設部、９３０、９３２  角度センサ、９５０  撮像ユニット
【図１】
2014056101.tif 000003
【図２】
2014056101.tif 000004
【図３】
2014056101.tif 000005
【図４】
2014056101.tif 000006
【図５】
2014056101.tif 000007
【図６】
2014056101.tif 000008
【図７】
2014056101.tif 000009
【図８】
2014056101.tif 000010
【図９】
2014056101.tif 000011
【図１０】
2014056101.tif 000012
【図１１】
2014056101.tif 000013
【図１２】
2014056101.tif 000014